(57)【要約】【課題】内蓋の一部が外蓋と剥離して容器本体に残り、湯切り孔が形成されるように構成されたシート状の蓋材において、さらに残湯量の低減をも図ることができる湯切り孔付き蓋材を提供する。【解決手段】内蓋２には、残湯量低減孔形成切目３５を形成する。湯切り孔形成切目３４の内側部分を除く剥離開始切目３２と開口形成切目３３と内蓋３の外周縁とで区画された領域内における内蓋３と外蓋２の接着強度は、前記領域外における内蓋３と外蓋２の接着強度よりも弱く設定されて、上記タブ１１を摘んで当該蓋材１を引き剥がしたときに、前記領域内にある内蓋３の一部のみが容器本体に残るように構成される。前記残湯量低減孔形成切目３５は、剥離開始切目３２と一体化されて、上記タブ１１とは反対側の方向に突出するように、容器本体５側に残る前記領域内の内蓋３の一部に形成されている。【選択図】図４
2008105743.tif 000002
【特許請求の範囲】
【請求項１】
内蓋と外蓋の２層構造を有し、内蓋の外周を容器本体の開口周囲のフランジ部に接着することで当該容器本体を封止するとともに、当該フランジ部よりも外方に突出するタブを備えたシート状の蓋材において、
内蓋には、タブの基部近傍に配置される剥離開始切目と、該剥離開始切目より内蓋中心側に位置して注ぎ口を規定する開口形成切目と、剥離開始切目と開口形成切目との間に位置して湯切り孔を規定する湯切り孔形成切目とともに、残湯量低減孔を規定する残湯量低減孔形成切目を形成し、
湯切り孔形成切目の内側部分を除く、剥離開始切目と開口形成切目と内蓋の外周縁とで区画された領域内における内蓋と外蓋の接着強度は、前記領域外における内蓋と外蓋の接着強度よりも弱く設定されて、上記タブを摘んで当該蓋材を引き剥がしたときに、前記領域内にある内蓋の一部のみが容器本体に残るように構成され、
前記残湯量低減孔形成切目は、剥離開始切目と一体化されて、上記タブとは反対側の方向に突出するように、容器本体側に残る前記領域内の内蓋の一部に形成されていることを特徴とする、蓋材。
【請求項２】
前記残湯量低減孔形成切目は、前記剥離開始切目の中央に形成されていることを特徴とする、請求項１記載の蓋材。
【請求項３】
前記内蓋には、前記剥離開始切目より外側に位置する外側剥離開始切目が形成されていることを特徴とする、請求項１記載の蓋材。
【請求項４】
前記内蓋には、前記剥離開始切目より外側に位置する外側剥離開始切目と、残湯量低減孔が形成される領域の基端と接して残湯量低減孔を延長形成する延長形成領域とが形成され、
前記延長形成領域は、内蓋の外周縁に向かって延在して前記外側剥離開始切目を分断していることを特徴とする、請求項１記載の蓋材。
【請求項５】
前記内蓋には、前記剥離開始切目より外側に位置する外側剥離開始切目と、残湯量低減孔が形成される領域の基端と接して残湯量低減孔を延長形成する延長形成領域とが形成され、
前記延長形成領域は、内蓋の外周縁に向かって延在して前記外側剥離開始切目の延在を遮断していることを特徴とする、請求項１記載の蓋材。
【発明の詳細な説明】
【技術分野】
【０００１】
本発明は、カップ入り生タイプ麺やインスタント焼きそば等の容器に使用する湯切り孔付き蓋材に関する。
【背景技術】
【０００２】
上記湯切り孔付き蓋材の一例として、特許文献１に開示されたものがある。図１を参照して、特許文献１に開示された湯切り孔付き蓋材を説明する。
【０００３】
ここで、図１（ａ）は、特許文献１の湯切り孔付き蓋材の裏面を示している。湯切り孔付き蓋材はシート状で、内蓋と外蓋の２層構造を有していて、図１（ａ）に示した蓋材裏面側に内蓋が位置する。この湯切り孔付き蓋材は、内蓋の外周がカップ状の容器本体のフランジ部に熱接着されて、当該容器本体を封止する。
【０００４】
蓋材裏面側の内蓋には、図１（ａ）に示したように、剥離開始切目、湯切り孔形成切目及び開口形成切目が設けられている。容器本体に熱溶着された湯切り孔付き蓋材のタブを摘んで引き剥がすと、図１（ｂ）に示すように、内蓋の一部のみが容器本体側に残る。
容器本体側に残った内蓋部分には、湯切り孔が存在し、これを利用して、麺を湯がいた後の湯切りを行う。
【０００５】
容器本体側に残すべき内蓋部分に対応する積層領域においては、内蓋と外蓋が離型層を介して積層されていて、この部分の接着強度を相対的に弱めている（すなわち、内蓋と外蓋とが剥離し易くしている）。こうすることで、タブを摘んで蓋材（外蓋）を容器本体から引き剥がすときに当該内蓋部分が容器本体側に残り易くしている。
一方、湯切り孔形成切目の内部領域においては、離型層の接着強度を相対的に強めている（すなわち、内蓋と外蓋とが剥離し難くしている）。したがって、湯切り孔形成切目内に位置する円形の内蓋部分は外蓋とともに引き剥がされて、その結果、容器本体側に残った内蓋部分には、湯切り孔が形成される（図１（ｂ））。
【０００６】
しかしながら、前記特許文献１の蓋材では、内蓋の剥離開始切目と容器本体のフランジ部の外端との位置が多少ずれることによって、外蓋と内蓋が分離せず、湯切り孔の形成に不都合が生じる場合がある。かかる不都合を解消するための蓋材として、特許文献２に以下のように構成された蓋材が開示されている。図２及び図３を参照して、特許文献２に開示された湯切り孔付き蓋材を説明する。
【０００７】
ここで、図２（ａ）は、特許文献２の湯切り孔付き蓋材の裏面を示している。図２（ｂ）〜（ｄ）は、容器本体に取り付けられた蓋材を表面側から観察した場合のタブ付近を拡大した透視図であり、蓋材の表面側に表れない２本の剥離開始切目とフランジ部との位置関係を示すため、２本の剥離開始切目を一点鎖線で表し、前記フランジ部を破線で表している。
【０００８】
特許文献２の蓋材では、蓋材と容器本体の溶着位置が多少ずれても内蓋の一部が外蓋と確実に分離するように、外側剥離開始切目、内側剥離開始切目の２本の切目が裏面側の内蓋に設けられている（図２（ａ））。これにより、内側剥離開始切目が容器本体のフランジ部の外端と接した状態（図２（ｂ））又は容器本体のフランジ部の外端よりも外側にずれた状態（図２（ｃ））で、内蓋の外周が容器本体に熱溶着されている場合には、図３（ａ）に示したように、内蓋は、内側剥離開始切目から剥離して、その一部が容器本体側に残る。一方、内側剥離開始切目が容器本体のフランジ部の外端よりも容器内側に位置した状態（図２（ｄ））で、内蓋の外周が容器本体に熱溶着されている場合には、図３（ｂ）に示したように、内蓋は、外側剥離開始切目から剥離して、その一部が容器本体側に残る。
【特許文献１】特開２００３−２２１０５８号公報
【特許文献２】特開２００３−２７６７５３号公報
【発明の開示】
【発明が解決しようとする課題】
【０００９】
しかしながら、上述のいずれの湯切り孔付き蓋材においても、湯切り孔が位置ずれ（この場合の位置ずれとは、蓋材を容器本体に溶着させる時の位置ずれと、蓋材の製造時において湯切り孔をカッターで形成するときの位置ずれを含む）によって、容器本体フランジ部に重なって、該湯切り孔を形成する内蓋部分がフランジ部に溶着されてしまわないように、湯切り孔の位置を容器本体フランジ部内縁の位置からある程度余裕を持って容器中心側に形成する必要があった。このため、湯切り孔は容器本体フランジ部に接して形成されず、従って、一定量の湯を前記湯切り孔で排出できず、湯が容器本体に残ってしまうという問題点がある。
【００１０】
本発明は、かかる問題点を解消するため、内蓋の一部が外蓋と剥離して容器本体に残り、湯切り孔が形成されるように構成された蓋材において、さらに残湯量の低減をも図ることができる湯切り孔付き蓋材を提供することを課題とする。
【課題を解決するための手段】
【００１１】
本発明は、前記課題を解決するための手段として創案されたものであって、以下のように構成される。
本発明の蓋材は、シート状で内蓋（３）と外蓋（２）の２層構造を有し、内蓋の外周を容器本体の開口周囲のフランジ部に接着することで当該容器本体を封止するとともに、当該フランジ部よりも外方に突出するタブ（１１）を備える。
内蓋には、タブ（１１）の基部近傍（容器本体を封止した時のフランジ外縁との境界付近）に配置される剥離開始切目（３２）と、該剥離開始切目より内蓋中心側に位置して注ぎ口を規定する開口形成切目（３３）と、剥離開始切目と開口形成切目との間に位置して湯切り孔を規定する湯切り孔形成切目（３４）とともに、残湯量低減孔を規定する残湯量低減孔形成切目（３５）を形成する。
湯切り孔形成切目の内側部分（湯切り孔形成切目に囲まれた部分で湯切り孔となる部分）を除く、剥離開始切目と開口形成切目と内蓋の外周縁とで区画された領域内における内蓋と外蓋の接着強度は、前記領域外における内蓋と外蓋の接着強度よりも弱く設定されて、上記タブを摘んで当該蓋材を引き剥がしたときに、前記領域内にある内蓋の一部のみが容器本体に残るように構成されている。
前記残湯量低減孔形成切目（３５）は、剥離開始切目（３２）と一体化されて、剥離開始切目の一部が上記タブ（１１）と反対側の方向に突出して、容器本体側に残る前記領域内の内蓋の一部に形成されている。
【発明の効果】
【００１２】
上記のように構成された本発明の湯切り孔付き蓋材においては、タブを摘んで引き剥がすと、残湯量低減孔が、容器本体側に残った内蓋の一部に形成される。前記残湯量低減孔は容器本体のフランジ部の内縁端から内方に突出するため、この残湯量低減孔を利用すれば、湯切り孔では排出不可能な湯を排出することができ、残湯量の低減を図ることが可能となる。
【発明を実施するための最良の形態】
【００１３】
本発明の第１実施形態を添付の図面にしたがって説明する。なお、以下の実施形態では、上述の本発明における「剥離開始切目」を、外側剥離開始切目と区別するため、特に「内側剥離開始切目」と称して説明する。
【００１４】
図４は、本発明の第１実施形態に係るシート状の湯切り孔付き蓋材１を示している。蓋材１は、大きく分けて外蓋２と内蓋３を有していて、図４（ａ）の表面側には外蓋２が位置し、図４（ｂ）の裏面側には内蓋３が位置している。
なお、実際には、外蓋２及び内蓋３は、それぞれがさらに多数の積層構成を有する。蓋材１は、内蓋３の表面に設けた熱接着層又は他の接着剤等を用いて、後に説明するように、カップ状の容器本体５側に固定される。
【００１５】
図５に示したように、蓋材１は、外蓋２の面を上側とし、内蓋３の外周を容器本体５の開口周囲に形成されたフランジ部５１に接着することで、容器本体５を封止する。蓋材１は、容器本体５側に熱溶着された状態においてフランジ部５１よりも外方に突出する摘み用タブ１１を備える。消費者が前記タブ１１を摘んで蓋材１を容器本体５から引き剥がして除去すると、図６（ａ）〜（ｃ）に示した後述の内側剥離開始切目３２とフランジ部５１の位置関係によって、内蓋３の剥離が、後述の外側剥離開始切目３１、内側剥離開始切目３２のいずれか一方から開始して、内蓋３の一部が容器本体５側に残る。ここで、図６（ａ）〜（ｃ）は、容器本体に取り付けられた本発明の第１実施形態に係る蓋材１を表面側から透視した場合のタブ１１付近を拡大したものであり、蓋材１の表面側に表れない２本の剥離開始切目３１、３２とフランジ部５１との位置関係を示すため、２本の剥離開始切目３１、３２を一点鎖線で表し、前記フランジ部５１を破線で表している。
【００１６】
具体的には、内側剥離開始切目３２がフランジ部５１の外端と接した状態（図６（ａ））又はフランジ部５１の外端よりも外側にずれた状態（図６（ｂ））で、内蓋３の外周がフランジ部５１に接着されている場合には、蓋材１を容器本体５から引き剥がすと、内側剥離開始切目３２及び後述の残湯量低減孔形成切目３５と開口形成切目３３との間に位置する内蓋３の一部が、図７（ａ）に示したように、湯切り孔形成切目３４の内側部分を除いて、外蓋２から剥離して容器本体５側に残る。一方、内側剥離開始切目３２がフランジ部５１の外端よりも内側にずれた状態（図６（ｃ））で、内蓋３の外周がフランジ部５１に接着されている場合には、蓋材１を容器本体５から引き剥がすと、外側剥離開始切目３１と開口形成切目３３との間に位置する内蓋３の一部が、図７（ｂ）に示したように、湯切り孔形成切目３４の内側部分を除いて、外蓋２から剥離して容器本体５側に残る。
【００１７】
容器本体５に麺が収容されている場合には、前記のように内蓋３の一部が容器本体５側に残った状態で、注ぎ口３６にお湯を注いで麺を湯がく。
容器本体５側に残った内蓋３の一部には、湯切り孔３７が形成されている。すなわち、麺の湯がきが終了した場合には、この湯切り孔３７を利用して湯切りを行う。その後、最終的には、容器本体５側に残った内蓋３の一部も剥がし取って廃棄し、湯戻しした麺を喫食する。
【００１８】
図４に示したように、内蓋３には、外側剥離開始切目３１、内側剥離開始切目３２、開口形成切目３３、湯切り孔形成切目３４及び残湯量低減孔形成切目３５が形成されている。各切目は内蓋３の全厚を貫通して形成された切目である。
外側剥離開始切目３１及び内側剥離開始切目３２は、内蓋３のタブ１１の基部近傍（容器本体を封止した時のフランジ外縁との境界付近）に形成されている。
開口形成切目３３は、内側剥離開始切目３２より内蓋の中心側に位置して注ぎ口３６の形状を規定する。
また、湯切り孔形成切目３４は、内側剥離開始切目３２と開口形成切目３３との間に位置し、それぞれ円形状に構成されている。容器本体５側に残った内蓋３の一部に形成される湯切り孔３７（図７）の形状は、湯切り孔形成切目３４によって規定される。
【００１９】
上述のように、蓋材１は外蓋２と内蓋３を積層して構成しているが、外側剥離開始切目３１と開口形成切目３３との間に位置する内蓋３の一部は、湯切り孔形成孔切目３４の内側部分（湯切り孔形成切目に囲まれた部分で湯切り孔となる部分）を除いて、例えば、この積層部分にのみ離型層を介在させる等して外蓋２と内蓋３との接着強度を弱めている。内蓋３の剥離は、上述したように、内側剥離開始形成切目３２とフランジ部５１の外端との位置関係によって剥離開始位置が異なり、いずれか一方の剥離開始切目３１、３２と開口形成切目３３との間に位置する内蓋３の一部が、外蓋２から剥離して容器本体５側に残る。
【００２０】
内蓋３のタブ１１の基部近傍には、残湯量低減孔形成切目３５が形成されている。この残湯量低減孔形成切目３５は、残湯量低減孔３８を規定する。残湯量低減孔形成切目３５は、内側剥離開始切目３２の中央に一体化されて形成されている。具体的には、内側剥離開始切目３２と残湯量低減孔形成切目３５の両方の切目が合わせて一本の切目を形成している。残湯量低減孔形成切目３５は、略Ｕ字状に構成され、蓋材１を引き剥がしたときに容器本体５側に残る内蓋３の一部に、タブ１１とは反対側の方向に突出するように（食い込むように）形成されている。なお、残湯量低減孔形成切目３５は、内側剥離開始切目３２に一体化されて形成され、タブ１１とは反対側の方向に突出するように形成されているものであれば、内側剥離開始切目３２の中央に位置する必要はなく、内側剥離開始切目３２の端部に位置するものであってもよい。また、残湯量低減孔形成切目３５は、複数形成されていてもよいし、その形状は略Ｕ字状でなくてもよい。
【００２１】
内側剥離開始切目３２がフランジ部５１の外端と接した状態（図６（ａ））又はフランジ部５１の外端よりも外側にずれた状態（図６（ｂ））で、内蓋３の外周がフランジ部５１に接着されている場合には、蓋材１を容器本体５から引き剥がすと、容器本体５側に残った内蓋３の一部に、残湯量低減孔３８が形成される（図７（ａ））。容器本体５側に内蓋３の一部が残った状態で湯切り作業を行うと、湯切り孔３７では排出できない湯が、残湯量低減孔３８を介して排出されるため、容器本体５に残る湯の量を低減することができる。
【００２２】
一方、内側剥離開始切目３２がフランジ部５１の外端よりも内側にずれた状態（図６（ｃ））で、内蓋３の外周がフランジ部５１に接着されている場合には、蓋材１を容器本体５から引き剥がすと、容器本体５側に残った内蓋３の一部に、残湯量低減孔３８と、この残湯量低減孔３８を閉じるフラップ状部３９とが形成される（図７（ｂ））。容器本体５側に内蓋３の一部が残った状態で湯切り作業を行うと、図８に示したように、湯切り孔３７では排出できない湯が、フラップ状部３９を外側に押し出して残湯量低減孔３８を開いた状態にし、残湯量低減孔３８を介して排出されるため、容器本体５に残る湯の量を低減することができる。
【００２３】
本発明に係る蓋材１と特許文献２の蓋材とを使用して湯切り作業を行った場合の残湯量を比較するため、本発明及び特許文献２の蓋材が溶着された即席食品容器を多数製造し、その中から無作為に３つ抽出して、麺が収容されていない容器本体５にそれぞれ湯を入れて湯切り作業を行ったところ、以下の表１に示すような結果が得られた。
なお、容器は開口径（内径）が１７０ｍｍのスチロール製の丼型容器で、蓋材の湯切り孔の径は６ｍｍ、蓋材の中心点から蓋材の外縁側に列設する湯切り孔の中心点までの距離は７８ｍｍである。
【００２４】
【表１】
2008105743.tif 000003
【００２５】
表１の結果に示されたそれぞれの容器の残湯量とその平均残湯量からも明らかなように、本発明に係る蓋材１を使用すれば、上記特許文献２の蓋材よりも残湯量を低減することが可能である。
【００２６】
上記の第１実施形態では、剥離開始切目として、内側剥離開始切目３２と外側剥離開始切目３１の内外２本の切目を有する蓋材１を例示したが、剥離開始切目（内側剥離開始切目３２）がフランジ部５１の外端と接した状態（図６（ａ））又はフランジ部５１の外端よりも外側にずれた状態（図６（ｂ））で、容器本体５に蓋材１を確実に接着できる場合、換言すれば、内側剥離開始切目３２がフランジ部５１の外端よりも内側にずれた状態（図６（ｃ））を引き起こすことなく、容器本体５に蓋材１を接着できる場合には、外側剥離開始切目３１を内蓋３に必ずしも形成する必要はない。
【００２７】
一方、以下のような場合には、上記のような第１実施形態に係る湯切り孔付き蓋材１では、残湯量を確実に低減することができないという問題がある。すなわち、容器本体５に残る内蓋３の一部が外側剥離開始切目３１から蓋材１より剥離して、内蓋３の一部に残湯量低減孔３８とフラップ状部３９とが形成されると、湯切り作業の際に、フラップ状部３９が外側に押し出されないことがあり、この場合、残湯量低減孔３８を介して湯を排出することができない。
【００２８】
そこで、第２実施形態に係る湯切り孔付き蓋材１においては、内蓋３の一部が外側剥離開始切目３１を基点に蓋材１より剥離した場合にも、残湯量低減孔３８を閉じるフラップ状部３９が形成されないように内蓋３を以下のように構成し、残湯量の低減を確実に実現することを目的とする。
【００２９】
図９は、本発明の第２実施形態に係る湯切り孔付き蓋材１を示している。なお、本発明の第２実施形態に係る蓋材１は、以下に説明するように、外側剥離開始切目の構成が異なる点と延長形成領域３５ａが形成されている点を除けば、第１実施形態に係る蓋材１と同一である。したがって、以下の第２実施形態に係る蓋材１の説明においては、その構成が第１実施形態と同一である部分については、対応する部分に同一符号を付して説明を省略し、異なる部分についてのみ説明する。
【００３０】
内蓋３には、図９及び図１０に示したように、外側剥離開始切目３１と、残湯量低減孔３８を延長形成する延長形成領域３５ａとが形成されている。外側剥離開始切目３１は、内蓋３のタブ１１の基部近傍で、内側剥離開始切目３２より外側の位置に形成されている。延長形成領域３５ａは、図９（ｂ）及び図１０において斜線部で示したように、内蓋３のタブ１１の基部近傍に形成され、残湯量低減孔３８が形成される領域の基端と接している。延長形成領域３５ａは、内蓋３の外周縁に向かって延在して外側剥離開始切目を第１外側剥離開始切目３１ａと第２外側剥離開始切目３１ｂとに分断している。第１外側剥離開始切目３１ａと第２外側剥離開始切目３１ｂとは、左右対称に構成されている。第１外側剥離開始切目３１の一端３１ａ１は、図１０に示したように、内側剥離開始切目３２と残湯量低減孔形成切目３５との第１交点部４０ａに近接している。一方、第２外側剥離開始切目３１ｂの一端３１ｂ１は、内側剥離開始切目３２と残湯量低減孔形成切目３５との第２交点部４０ｂに近接している。第１外側剥離開始切目３１ａは、内側剥離開始切目３２の一端３２ａに向かって延在し、その他端３１ａ２が内側剥離開始切目３２に近接している。第２外側剥離開始切目３１ｂは、内側剥離開始切目３２の他端３２ｂに向かって延在し、その他端３１ｂ２が、内側剥離開始切目３２に近接している。
【００３１】
第２実施形態に係る蓋材１では、内側剥離開始切目３２がフランジ部５１の外端と接した状態（図１１（ａ））又はフランジ部５１の外端よりも外側にずれた状態（図１１（ｂ））で、内蓋３の外周がフランジ部５１に接着されている場合に、蓋材１を容器本体５から引き剥がすと、内蓋３の一部が、第１実施形態と同様に、内側剥離開始切目３２及び残湯量低減孔形成切目３５を剥離開始位置として蓋材１より剥離して容器本体５側に残り、残湯量低減孔３８が形成される（図１２（ａ）参照）。
【００３２】
また、内側剥離開始切目３２がフランジ部５１の外端よりも内側にずれた状態（図１１（ｃ））で、内蓋３の外周がフランジ部５１に接着されている場合に、蓋材１を容器本体５から引き剥がすと、内蓋３の一部が、第１外側剥離開始切目３１ａ、第２外側剥離開始切目３１ｂ及び残湯量低減孔形成切目３５を剥離開始位置として蓋材１より剥離して容器本体５側に残る。この場合、延長形成領域３５ａが残湯量低減孔３８を形成する領域の基端と接し、かつ、内蓋３の外周縁に向かって延在して外側剥離開始切目を第１外側剥離開始切目３１ａと第２外側剥離開始切目３１ｂとに分断しているので、第１実施形態とは異なり、フラップ状部３９を形成する部分が、蓋材１から剥離して容器本体５側に残ることはなく、延長形成領域３５ａによって延長形成された残湯量低減孔３８が内蓋３の一部に形成される（図１２（ｂ）参照）。したがって、このような第２実施形態に係る蓋材１によれば、蓋材１を容器本体５から引き剥がした時には、常に、残湯量低減孔３８が開口した状態で形成されるので、残湯量の低減を確実に実現することが可能である。
【００３３】
なお、第２実施形態に係る蓋材１において、残湯量低減孔形成切目３５は、第１実施形態と同様に、必ずしも内側剥離開始切目３２の中央に位置する必要はなく、内側剥離開始切目３２の端部に位置するものであってもよい。この場合、蓋材１を容器本体５から引き剥がした時に、第１実施形態のようなフラップ状部３９を形成する部分が容器本体５側に残らないようにするために、延長形成領域３５ａを内蓋３に形成する必要があり、具体的には、残湯量低減孔３８が形成される領域の基端と接するように延長形成領域３５ａを構成し、この延長形成領域３５ａが、図１３に示したように、内蓋３の外周縁に向かって延在して外側剥離開始切目３１の延在を遮断していればよい。
【図面の簡単な説明】
【００３４】
【図１】従来の湯切り孔付き蓋材を示す説明図である。
【図２】従来の湯切り孔付き蓋材を示す説明図である。
【図３】図２の蓋材の容器側残留部分のみを残して除去された状態を示す即席食品容器の斜視図である。
【図４】本発明の第１実施形態に係る湯切り孔付き蓋材を示す説明図である。
【図５】図４の湯切り孔付き蓋材が取り付けられた即席食品容器の斜視図である。
【図６】図５の蓋材と容器本体のフランジ部の位置関係を示す説明図である。
【図７】図５の蓋材の容器側残留部分のみを残して除去された状態を示す即席食品容器の斜視図である。
【図８】フラップ状部が押し出された状態を示す図７（ｂ）の即席食品容器の斜視図である。
【図９】本発明の第２実施形態に係る湯切り孔付き蓋材を示す説明図である。
【図１０】図９の蓋材裏面のタブ付近の部分拡大図である。
【図１１】図９の蓋材と容器本体のフランジ部の位置関係を示す説明図である。
【図１２】図９の蓋材の容器側残留部分のみを残して除去された状態を示す即席食品容器の斜視図である。
【図１３】図９の蓋材の変形例を示す裏面図である。
【符号の説明】
【００３５】
１  蓋材
２  外蓋
３  内蓋
３１  外側剥離開始切目
３１ａ  第１外側剥離開始切目
３１ｂ  第２外側剥離開始切目
３２  内側剥離開始切目
３３  開口形成切目
３４  湯切り孔形成切目
３５  残湯量低減孔形成切目
３５ａ  延長形成領域
３６  注ぎ口
３７  湯切り孔
３８  残湯量低減孔
３９  フラップ状部
４０ａ、４０ｂ  内側剥離開始切目と残湯量低減孔形成切目との交点部
５  容器本体
５１  フランジ部
【図１】
2008105743.tif 000004
【図２】
2008105743.tif 000005
【図３】
2008105743.tif 000006
【図４】
2008105743.tif 000007
【図５】
2008105743.tif 000008
【図６】
2008105743.tif 000009
【図７】
2008105743.tif 000010
【図８】
2008105743.tif 000011
【図９】
2008105743.tif 000012
【図１０】
2008105743.tif 000013
【図１１】
2008105743.tif 000014
【図１２】
2008105743.tif 000015
【図１３】
2008105743.tif 000016